【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
支持体と、下引き層と、電荷発生層と、電荷輸送層と、をこの順に有する電子写真感光体であって、
該電荷発生層が、チタニルフタロシアニン顔料およびガリウムフタロシアニン顔料から選択される少なくとも１種を含有し、
該電荷輸送層が、ポリカーボネート樹脂およびポリアリレート樹脂から選択される少なくとも１種を含有し、
該電子写真感光体が、画像形成領域および非画像形成領域からなり、該非画像形成領域における該電荷発生層の膜厚が、該画像形成領域における該電荷発生層の膜厚よりも薄い領域αを有することを特徴とする電子写真感光体。
【請求項２】
前記電子写真感光体に当接し、前記電子写真感光体を帯電する帯電手段の端部が、前記電子写真感光体と、前記領域αにおいて当接する請求項１に記載の電子写真感光体。
【請求項３】
前記領域αにおける前記電荷発生層の膜厚が、０．０１μｍ以上である請求項１または２に記載の電子写真感光体。
【請求項４】
前記領域αにおける前記電荷発生層の膜厚が、前記画像形成領域における前記電荷発生層の膜厚に対して４０％以下である請求項１から３のいずれか１項に記載の電子写真感光体。
【請求項５】
前記ポリカーボネート樹脂が、式（Ｃ）で示される構造単位を有するポリカーボネート樹脂である請求項１から４のいずれか１項に記載の電子写真感光体。
【化１】
2016031517.tif 000001
（式（Ｃ）中、Ｒ３１〜Ｒ３４は、それぞれ独立に水素原子、またはメチル基を示す。Ｙ２は、単結合、メチレン基、エチリデン基、プロピリデン基、フェニルエチリデン基、置換または無置換のシクロヘキシリデン基、または酸素原子を示す。）
【請求項６】
前記ポリアリレート樹脂が、式（Ｄ）で示される構造単位を有するポリアリレート樹脂である請求項１から５のいずれか１項に記載の電子写真感光体。
【化２】
2016031517.tif 000002
（式（Ｄ）中、Ｒ４１〜Ｒ４４は、それぞれ独立に水素原子、またはメチル基を示す。Ｘは、ｍ−フェニレン基、ｐ−フェニレン基、または２つのｐ−フェニレン基が酸素原子を介して結合した２価の基を示す。Ｙ３は、単結合、メチレン基、エチリデン基、プロピリデン基、置換または無置換のシクロヘキシリデン基、または酸素原子を示す。）
【請求項７】
電子写真装置本体に着脱可能に構成されたプロセスカートリッジであって、該プロセスカートリッジが、
電子写真感光体、および
該電子写真感光体に当接し、該電子写真感光体を帯電する帯電手段を有し、
該電子写真感光体が、支持体と、下引き層と、電荷発生層と、電荷輸送層と、をこの順に有し、
該電荷発生層が、チタニルフタロシアニン顔料およびガリウムフタロシアニン顔料から選択される少なくとも１種を含有し、
該電荷輸送層が、ポリカーボネート樹脂およびポリアリレート樹脂から選択される少なくとも１種を含有し、
該電子写真感光体が、画像形成領域および非画像形成領域からなり、該非画像形成領域における該電荷発生層の膜厚が、該画像形成領域における該電荷発生層の膜厚よりも薄い領域αを有することを特徴とするプロセスカートリッジ。
【請求項８】
前記領域αにおいて、前記帯電手段の端部と前記電子写真感光体とが当接する請求項７に記載のプロセスカートリッジ。
【請求項９】
前記領域αにおける前記電荷発生層の膜厚が、０．０１μｍ以上である請求項７または８に記載のプロセスカートリッジ。
【請求項１０】
前記領域αにおける前記電荷発生層の膜厚が、前記画像形成領域における前記電荷発生層の膜厚に対して４０％以下である請求項７から９のいずれか１項に記載のプロセスカートリッジ。
【請求項１１】
前記ポリカーボネート樹脂が、式（Ｃ）で示される構造単位を有するポリカーボネート樹脂である請求項７から１０のいずれか１項に記載のプロセスカートリッジ。
【化３】
2016031517.tif 000003
（式（Ｃ）中、Ｒ３１〜Ｒ３４は、それぞれ独立に水素原子、またはメチル基を示す。Ｙ２は、単結合、メチレン基、エチリデン基、プロピリデン基、フェニルエチリデン基、置換または無置換のシクロヘキシリデン基、または酸素原子を示す。）、
【請求項１２】
前記ポリアリレート樹脂が、式（Ｄ）で示される構造単位を有するポリアリレート樹脂である請求項７から１１のいずれか１項に記載のプロセスカートリッジ。
【化４】
2016031517.tif 000004
（式（Ｄ）中、Ｒ４１〜Ｒ４４は、それぞれ独立に水素原子、またはメチル基を示す。Ｘは、ｍ−フェニレン基、ｐ−フェニレン基、または２つのｐ−フェニレン基が酸素原子を介して結合した２価の基を示す。Ｙ３は、単結合、メチレン基、エチリデン基、プロピリデン基、置換または無置換のシクロヘキシリデン基、または酸素原子を示す。）
【請求項１３】
電子写真感光体、および
該電子写真感光体に当接し、該電子写真感光体を帯電する帯電手段を有する電子写真装置であって、
該電子写真感光体が、支持体と、下引き層と、電荷発生層と、電荷輸送層と、をこの順に有し、
該電荷発生層が、チタニルフタロシアニン顔料およびガリウムフタロシアニン顔料から選択される少なくとも１種を含有し、
該電荷輸送層が、ポリカーボネート樹脂およびポリアリレート樹脂から選択される少なくとも１種を含有し、
該電子写真感光体が、画像形成領域および非画像形成領域からなり、該非画像形成領域における電荷発生層の膜厚が、該画像形成領域における該電荷発生層の膜厚よりも薄い領域αを有することを特徴とする電子写真装置。
【請求項１４】
前記領域αにおいて、前記帯電手段の端部と前記電子写真感光体とが当接する請求項１３に記載の電子写真装置。
【請求項１５】
前記領域αにおける前記電荷発生層の膜厚が、０．０１μｍ以上である請求項１３または１４に記載の電子写真装置。
【請求項１６】
前記領域における前記膜厚が、前記画像形成領域における前記電荷発生層の膜厚に対して４０％以下である請求項１３から１５のいずれか１項に記載の電子写真装置。
【請求項１７】
前記ポリカーボネート樹脂が、式（Ｃ）で示される構造単位を有するポリカーボネート樹脂である請求項１３から１６のいずれか１項に記載の電子写真装置。
【化５】
2016031517.tif 000005
（式（Ｃ）中、Ｒ３１〜Ｒ３４は、それぞれ独立に水素原子、またはメチル基を示す。Ｙ２は、単結合、メチレン基、エチリデン基、プロピリデン基、フェニルエチリデン基、置換または無置換のシクロヘキシリデン基、または酸素原子を示す。）
【請求項１８】
前記ポリアリレート樹脂が、式（Ｄ）で示される構造単位を有するポリアリレート樹脂である請求項１３から１７のいずれか１項に記載の電子写真装置。
【化６】
2016031517.tif 000006
（式（Ｄ）中、Ｒ４１〜Ｒ４４は、それぞれ独立に水素原子、またはメチル基を示す。Ｘは、ｍ−フェニレン基、ｐ−フェニレン基、または２つのｐ−フェニレン基が酸素原子を介して結合した２価の基を示す。Ｙ３は、単結合、メチレン基、エチリデン基、プロピリデン基、置換または無置換のシクロヘキシリデン基、または酸素原子を示す。）
【手続補正２】
【補正対象書類名】明細書
【補正対象項目名】００１０
【補正方法】変更
【補正の内容】
【００１０】
本発明は、電子写真感光体が、支持体と、下引き層と、電荷発生層と、電荷輸送層と、をこの順に有し、該電荷発生層が、チタニルフタロシアニン顔料およびガリウムフタロシアニン顔料から選択される少なくとも１種を含有し、該電荷輸送層が、ポリカーボネート樹脂およびポリアリレート樹脂から選択される少なくとも１種を含有し、該電子写真感光体が、画像形成領域および非画像形成領域からなり、該非画像形成領域における該電荷発生層の膜厚が、該画像形成領域における該電荷発生層の膜厚よりも薄い領域αを有することを特徴とする電子写真感光体に関する。
【手続補正３】
【補正対象書類名】明細書
【補正対象項目名】００１１
【補正方法】変更
【補正の内容】
【００１１】
また、本発明は、電子写真装置本体に着脱可能に構成されたプロセスカートリッジであって、該プロセスカートリッジが、電子写真感光体、および該電子写真感光体に当接し、該電子写真感光体を帯電する帯電手段を有し、該電子写真感光体が、支持体と、下引き層と、電荷発生層と、電荷輸送層と、をこの順に有し、該電荷発生層が、チタニルフタロシアニン顔料およびガリウムフタロシアニン顔料から選択される少なくとも１種を含有し、該電荷輸送層が、ポリカーボネート樹脂およびポリアリレート樹脂から選択される少なくとも１種を含有し、該電子写真感光体が、画像形成領域および非画像形成領域からなり、該非画像形成領域における該電荷発生層の膜厚が、該画像形成領域における該電荷発生層の膜厚よりも薄い領域αを有することを特徴とするプロセスカートリッジに関する。
【手続補正４】
【補正対象書類名】明細書
【補正対象項目名】００１２
【補正方法】変更
【補正の内容】
【００１２】
また、本発明は、電子写真感光体、および該電子写真感光体に当接し、該電子写真感光体を帯電する帯電手段を有する電子写真装置であって、該電子写真感光体が、支持体と、下引き層と、電荷発生層と、電荷輸送層と、をこの順に有し、該電荷発生層が、チタニルフタロシアニン顔料およびガリウムフタロシアニン顔料から選択される少なくとも１種を含有し、該電荷輸送層が、ポリカーボネート樹脂およびポリアリレート樹脂から選択される少なくとも１種を含有し、該電子写真感光体が、画像形成領域および非画像形成領域からなり、該非画像形成領域における電荷発生層の膜厚が、該画像形成領域における該電荷発生層の膜厚よりも薄い領域αを有することを特徴とする電子写真装置に関する。